(57)【要約】【課題】  広範な色を表示することができる画像処理回路及び画像表示装置を提供すること。【解決手段】  赤色、緑色、青色からなる画像信号の所定強度と、これに対応する強度の赤色、緑色、青色、シアン色の画像信号を記憶した記憶部と、赤色、緑色、青色からなる画像信号を前記記憶部から対応する強度の赤色、緑色、青色、シアン色の画像信号を取得し、赤色、緑色、青色、シアン色の画像信号を出力する演算処理部とを有する画像処理回路３４を備える。【選択図】      図２
2006072348.tif 000002
【特許請求の範囲】
【請求項１】
赤色、緑色、青色からなる画像信号を赤色、緑色、青色、シアン色の画像信号に変換することを特徴とする画像処理回路。
【請求項２】
請求項１に記載の画像処理回路において、
赤色、緑色、青色からなる画像信号の所定強度と、これに対応する強度の赤色、緑色、青色、シアン色の画像信号を記憶した記憶部と、
赤色、緑色、青色からなる画像信号を前記記憶部から対応する強度の赤色、緑色、青色、シアン色の画像信号を取得し、赤色、緑色、青色、シアン色の画像信号を出力する演算処理部とを有することを特徴とする画像処理回路。
【請求項３】
請求項１に記載の画像処理回路において、
赤色、緑色、青色からなる画像信号の所定強度と、これに対応する強度のシアン色、マゼンダ色、黄色の画像信号を記憶した記憶部と、
赤色、緑色、青色からなる画像信号を前記記憶部から対応する強度のシアン色、マゼンダ色、黄色の画像信号を取得し、シアン色、マゼンダ色、黄色の画像信号を出力する演算処理部とを有することを特徴とする画像処理回路。
【請求項４】
請求項２または請求項３に記載の画像処理回路において、
前記演算処理部はプリンタの印刷特性に応じて赤色、緑色、青色からなる画像信号を変換することを特徴とする画像処理回路。
【請求項５】
請求項１乃至請求項４のいずれか一項に記載の画像処理回路からの画像信号をディスプレイに表示することを特徴とする画像表示装置。
【発明の詳細な説明】
【技術分野】
【０００１】
本発明は、複数色のサブ画素からなる画素を配列して画像表示領域を構成し、カラー画像を形成するための画像処理回路及び画像表示装置に関し、例えば、ＣＲＴ、液晶等のディスプレイ装置、フロントプロジェクタ、リアプロジェクタ等の投写型のディスプレイ装置に利用することができる。
【背景技術】
【０００２】
液晶ディスプレイ、ＣＲＴディスプレイ、プロジェクタ等の画像表示装置は、従来より、赤色光、緑色光、青色光を射出するサブ画素からなる画素をマトリクス状に配置して画像表示領域を構成し、入力される画像情報に基づいて赤色光、緑色光、青色光ごとに各サブ画素で光変調を行い、各サブ画素から射出される色光を画像表示領域上で加法混色法により組み合わせることで、各画素に所望の色を表示させている。
例えば、液晶ディスプレイの場合、赤、緑、青の三原色のサブ画素を三角形状、矩形状等に組み合わせて１つの画素を構成し、この画素が画像表示領域上にマトリクス状に配列されている。そして、入力される赤、緑、青の信号を含む画像信号に基づいて各サブ画素で光変調を行い、各画素のサブ画素から赤、青、緑の色光を射出させ、各色光を混合することにより、各画素に所望の色を表示させている。
【０００３】
一方、カラープリンタ等の印刷装置は、通常、減法混色法による色表示が採用され、例えば、シアン、マゼンダ、黄を三原色とし、これらの色を被印刷面上で重ね合わせることにより、所望の色を表示するようになっている。
【発明の開示】
【発明が解決しようとする課題】
【０００４】
このような画像表示装置および印刷装置をパーソナルコンピュータ等に接続し、画像表示装置に表示されたカラー画像を編集した後、印刷装置によりカラー印刷しようとすると、各々の混色法が異なるため、画像表示装置上で表示可能な色の領域と、印刷装置で印刷可能な色の領域とにずれが生じ、編集の際に目的とした色合いの印刷物が得られないという問題がある。
【０００５】
また、これらの装置による表示画像または印刷物を観察する観察者の視覚は、赤、緑、青や、シアン、マゼンダ、黄等の三原色を組み合わせて表示可能な色の範囲よりも広い範囲の色を認識することができるため、観察者の視覚に相当する色の表示が可能な画像表示装置が望まれている。
【０００６】
本発明の目的は、広範な色を表示することができ、特に、印刷物相当の色を表示することのできる画像処理回路及び画像表示装置を提供することにある。
【課題を解決するための手段】
【０００７】
前記目的を達成するために、本発明の画像処理回路は、赤色、緑色、青色からなる画像信号を赤色、緑色、青色、シアン色の画像信号に変換することを特徴とする。
【０００８】
また、画像処理回路は、赤色、緑色、青色からなる画像信号の所定強度と、これに対応する強度の赤色、緑色、青色、シアン色の画像信号を記憶した記憶部と、赤色、緑色、青色からなる画像信号を前記記憶部から対応する強度の赤色、緑色、青色、シアン色の画像信号を取得し、赤色、緑色、青色、シアン色の画像信号を出力する演算処理部とを有することを特徴とする。
【０００９】
また、画像処理回路は、赤色、緑色、青色からなる画像信号の所定強度と、これに対応する強度のシアン色、マゼンダ色、黄色の画像信号を記憶した記憶部と、赤色、緑色、青色からなる画像信号を前記記憶部から対応する強度のシアン色、マゼンダ色、黄色の画像信号を取得し、シアン色、マゼンダ色、黄色の画像信号を出力する演算処理部とを有することを特徴とする。
【００１０】
また、前記演算処理部はプリンタの印刷特性に応じて赤色、緑色、青色からなる画像信号を変換することを特徴とする。
【００１１】
また、本発明の画像表示装置は、上述した画像処理回路からの画像信号をディスプレイに表示することを特徴とする。
【００１２】
また、本発明の画像表示装置は、複数色のサブ画素からなる画素をマトリクス状に配列して画像表示領域を構成し、各サブ画素から射出される色光を、該画像表示領域上で加法混色法により組み合わせてカラー画像を形成する画像表示装置であって、色度図上の赤色、緑色、青色の各点を結んで形成される三角形状の領域以外の色度図上の点として規定される他の色の色光を射出するサブ画素を備えていることを特徴とする。
【００１３】
ここで、所定の色を表示する画素は、上述した液晶ディスプレイのように、複数色のサブ画素を平面的に配列して構成してもよいが、三板式プロジェクタのように、混合する色光毎に液晶パネル等の光変調装置を設け、各色光毎に光変調装置で画像情報に基づく変調を施した後、プリズム等で各色光を投写面上で重畳することにより、各画素に所望の色を表示できるように構成してもよい。
【００１４】
また、所定の色を表示する画素は、赤、緑、青の各色光を射出する３種類のサブ画素を少なくとも備え、さらに色度図上の赤色、緑色、青色の各点を結んで形成される三角形状の領域以外の色度図上の点として規定される色の色光を射出するサブ画素を少なくとも１つ以上含む、４種類以上のサブ画素から構成されていることが好ましい。
【００１５】
さらに、他の色のサブ画素は、減法混色法における三原色、シアン、マゼンダ、黄色のいずれかであるのが好ましく、特に、少なくともシアンを含むのが好ましい。
【００１６】
このような本発明によれば、画素が他の色の色光を射出するサブ画素を含んで構成されているので、図１に示すように、赤（Ｒ）、緑（Ｇ）、青（Ｂ）の各点を結んで形成される、通常の画像表示装置で表示できる色の色度図上の領域Ａを、他の色のサブ画素が付加された分だけ拡張することができる。従って、画像表示装置に従来よりも広範な色を表示させることにより、印刷物相当の色を画像表示装置上に表示させることができる。特に、他の色の色光を射出するサブ画素をシアン（Ｃ）、マゼンダ（Ｍ）、黄（Ｙ）のいずれかとすることにより、印刷物相当の色をより忠実に再現することのできる画像表示装置とすることができる。
【００１７】
また、シアン色は、画面表示上の色と印刷物上の色との間の相違の大きな要因となるので、他の色の色光を射出するサブ画素としてシアン色を採用すれば、このような相違を解消することができ、画像表示装置上に印刷物相当の色をより忠実に再現することができる。
【００１８】
以上において、上述した画像表示装置は、赤色、緑色、青色からなる画像信号を、４種類以上のサブ画素のそれぞれに供給される画像信号に変換する画像処理回路を備えているのが好ましい。
【００１９】
具体的には、本発明の画像表示装置の１つの画素が赤、緑、青、シアンの４種類の色光を射出する４つのサブ画素から構成されている場合、画像処理回路は、赤色、緑色、青色からなる画像信号を、赤色、緑色、青色、およびシアン色からなる画像信号に変換するように構成するのが好ましい。
【００２０】
このように、画像処理回路を備えていることにより、パーソナルコンピュータ等で通常使用されるＲＧＢ信号を、画像処理回路で４種類以上の色からなる画像信号に変換して、４種類以上の色光からなる色を画像表示装置で表示することができる。例えば、上述したように、画像表示装置の１つの画素が赤（Ｒ）、緑（Ｇ）、青（Ｂ）、シアン（Ｃ）の４種類の色光を射出する４つのサブ画素から構成されている場合において、画素上にシアン色を表示することを考える。
【００２１】
ＲＧＢ信号におけるシアン色は、補色関係にある赤色信号の強度が０とされ、図１のＲ、Ｇ、Ｂの各点からなる三角形の辺ＧＢ上の点Ａ１として規定される。このＲＧＢ信号を画像処理回路で変換することにより、正しいシアン色である点Ｃの色を画素上で表示することが可能となる。画像処理回路による変換は、画像処理回路内部にＲＧＢ信号をＲＧＢＣ信号に変換する関数を設定し、入力されたＲＧＢ信号を演算処理してＲＧＢＣ信号を求めることも考えられるが、最も簡便な方法としては、ＲＧＢ信号とＲＧＢＣ信号とを対応させたＬＵＴ（Look Up Table）を予め画像処理回路内部の記憶領域に保存しておき、所定のＲＧＢ信号が画像処理回路に入力されたら、これに対応するＲＧＢＣ信号をＬＵＴから呼び出し、画像処理回路は、このＲＧＢＣ信号を出力すればよい。
【００２２】
このようなＬＵＴを印刷装置に応じて設定することにより、印刷装置によって印刷特性に相違があっても、常に印刷物特性に応じた画像を表示することのできる画像表示装置とすることができる。
【００２３】
また、本発明は、サブ画素の配列に応じて設定され、該サブ画素から射出される色光の点灯制御を行う電気光学素子を備えた画像表示装置に採用するのが好ましい。
【００２４】
ここで、電気光学素子を備えた画像表示装置としては、例えば、複数の走査線と、走査線と直交する複数のデータ線と、走査線およびデータ線の間に直列接続される電気光学物質とを備えた画像表示装置を採用することができ、液晶ディスプレイ、有機ＥＬディスプレイ、プラズマディスプレイ等が考えられる。また、駆動方式は、アクティブマトリクス、パッシブマトリクスを問わず、本発明を採用することができる。
【００２５】
すなわち、このような電気光学素子を備えた画像表示装置は、ＣＲＴディスプレイ等と比較して、薄型、軽量、省スペースという特徴を有するため、パーソナルコンピュータ等に用いられる画像表示装置として好適であり、パーソナルコンピュータの印刷装置との関係で本発明を採用することの有用性は高い。
【００２６】
さらに、画像表示装置で印刷物相当の画像を表示できる他の構成としては、複数色のサブ画素からなる画素をマトリックス状に配列し、各サブ画素から射出される色光を、画像表示領域上で加法混色法により組み合わせてカラー画像を形成する画像表示装置であって、複数色のサブ画素のそれぞれは、印刷物の色特性に応じた発光特性を有する画像表示装置を採用することができる。
【００２７】
ここで、印刷物の色特性に応じた発光特性を有するサブ画素としては、具体的には、シアン色、マゼンダ色、および黄色の色光をそれぞれ射出する３種類のサブ画素を採用することができる。
【００２８】
また、画像表示装置に入力される画像信号がＲＧＢ信号である場合、前記と同様に画像処理回路を備えているのが好ましく、変換の方法もＬＵＴを利用した方法を採用することができる。
【００２９】
このような本発明によれば、サブ画素が印刷物の色特性に応じた発光特性を有しているので、画像表示装置で印刷物の色特性に応じた画面を表示することができ、印刷物相当の色を画像表示装置上で再現することができる。
【発明を実施するための最良の形態】
【００３０】
以下、本発明の実施の一形態を図面に基づいて説明する。
【００３１】
図２には、本発明の第１実施形態に係る画像表示システム１が示されている。
【００３２】
画像表示システム１は、カラー画像データを作成する画像処理装置であるパーソナルコンピュータ２と、パーソナルコンピュータ２から入力されたカラー画像データをカラー画像として形成・表示する画像表示装置である液晶ディスプレイ３と、パーソナルコンピュータ２で作成されたカラー画像を印刷する印刷装置であるカラープリンタ４とを含んで構成されている。
【００３３】
パーソナルコンピュータ２は、カラー画像データを赤色（Ｒ）、緑色（Ｇ）、青色（Ｂ）からなる画像信号で作成するとともに、この作成したカラー画像データを液晶ディスプレイ３に出力するようになっている。
【００３４】
カラープリンタ４は、減法混色法による色表示が採用され、シアン色、マゼンダ色、黄色を三原色とし、これらの色を被印刷面上で重ね合わせることにより、所望の色を表示するようになっている。
【００３５】
液晶ディスプレイ３は、画像入力端子３１、信号増幅回路３２、液晶ディスプレイ３全体を制御するＣＰＵ３３、画像処理回路３４、画像表示領域３５とを含んで構成されている。画像入力端子３１は、パーソナルコンピュータ２からの画像信号が入力されるようになっている。信号増幅回路３２は、画像入力端子３１に入力した画像信号の各色を増幅させ、画像処理回路３４に出力するようになっている。
【００３６】
画像表示領域３５は、カラー画像が表示される図３に示されるように、マトリクス状に配列された複数の画素３６で構成されている。画素３６は、赤色光、緑色光、青色光の各色光を射出する３つのサブ画素３６Ｒ、３６Ｇ、３６Ｂと、シアン色光を射出するサブ画素３６Ｃとの４種類のサブ画素３６Ｒ、３６Ｇ、３６Ｂ、３６Ｃが矩形状に配列され、平面四角形状に形成されている。ここで、シアン色光を射出するサブ画素３６Ｃは、色度図上の赤色（Ｒ）、緑色（Ｇ）、青色（Ｂ）の各点を結んで形成される三角形状の領域以外の、色度図上の点として規定されたものである（図１）。
【００３７】
各サブ画素３６Ｒ、３６Ｇ、３６Ｂ、３６Ｃ、つまり、各画素３６には、図４に示されるように、パネル状に形成された電気光学素子である液晶素子５０が設けられている。この液晶素子５０は、入射した色光を図示しない外部からの画像情報に基づいて光変調し、入射側とは反対側から変調光束を射出する透過型の液晶素子である。液晶素子５０は、硝子等で構成された２枚の透明な基板（対向基板５１、ＴＦＴ基板５２）の間にツイステッドネマチック（ＴＮ）液晶５３が封入されたものである。対向基板５１には、共通電極５４および不要光を遮光するためのブラックマトリクス５５等が形成され、他方のＴＦＴ基板５２には、画素電極５６、スイッチング素子としての薄膜トランジスタ（ＴＦＴ）５７等が形成され、ＴＦＴ５７を介して画素電極５６に電圧が印加されると、共通電極５４との間に挟まれた液晶５３が駆動されるという構成である。なお、ＴＦＴ基板５２には、複数の走査線５８と複数のデータ線５９とが交差して配置され、その交差部付近にＴＦＴ５７がゲートを走査線５８、ソースをデータ線５９、ドレインを画素電極５６に接続して配置される。そして、走査線５８には、順次選択電圧が印加され、それに応じてオンしたＸ軸方向の画素３６のＴＦＴ５７を介して各画素３６の駆動電圧が画素電極５６に印加される。ＴＦＴ５７は、非選択電圧の印加によりオフとなり、印加された駆動電圧を図示しない蓄積容量等に保持する。また、ＴＦＴ基板５２および対向基板５１の光射出側および光入射側には、それぞれ偏光板６１、６２が設けられている。つまり、液晶ディスプレイ３は、その駆動方式がアクティブマトリクス方式となっている。
【００３８】
このような液晶素子５０で各サブ画素３６Ｒ、３６Ｇ、３６Ｂ、３６Ｃから射出される４種類の色光の点灯制御を行うとともに、各サブ画素３６Ｒ、３６Ｇ、３６Ｂ、３６Ｃから射出される４種類の色光が画像表示領域３５上で加法混色法により組み合わさることで、カラー画像が液晶ディスプレイ３（画像表示領域３５）に形成・表示されるようになっている。従って、赤、青、緑の各点を結んで形成される、通常の液晶ディスプレイ３で表示できる色の色度図上の領域が、シアン色のサブ画素３６Ｃが付加された分だけ拡張され、これにより、液晶ディスプレイ３に従来よりも広範な色が表示可能となり、印刷物相当の色を当該液晶ディスプレイ３上に表示させることができるようになっている。
【００３９】
画像処理回路３４は、パーソナルコンピュータ２から出力された赤色（Ｒ）、緑色（Ｇ）、青色（Ｂ）からなる画像信号を、赤色（Ｒ）、緑色（Ｇ）、青色（Ｂ）、およびシアン色（Ｃ）からなる画像信号に変換するものであり、演算処理部と記憶部とを備えて構成されている。演算処理部は、カラープリンタ４の印刷特性に応じてＲＧＢ信号をＲＧＢＣ信号に変換する部分である。記憶部には、所定の強度のＲＧＢ信号と、これに対応する強度のＲＧＢＣ信号とを対応させたＬＵＴ（Look Up Table）が設けられている。例えば、演算処理部に、シアン色のみを表示させるＲＧＢ信号、例えば、Ｒ＝０、Ｇ＝１００、Ｂ＝１００の強度のＲＧＢ信号が入力された場合、当該演算処理部は、このＲＧＢ信号の強度に対応する強度のＲＧＢＣ信号（Ｒ＝０、Ｇ＝１０、Ｂ＝１０、Ｃ＝１００）をＬＵＴから取得し、当該ＲＧＢＣ信号を出力する。これにより、画像処理領域３５にシアン色が表示されるようになっている。なお、この画像処理回路３４で変換された赤色（Ｒ）、緑色（Ｇ）、青色（Ｂ）、およびシアン色（Ｃ）からなる画像信号は、液晶素子５０を通って画像表示領域３５に入力される。
【００４０】
このような本実施形態によれば、次のような効果が得られる。
【００４１】
すなわち、画素３６がシアン色の色光を射出するサブ画素３６Ｃを含んで構成されているので、印刷物相当の色をより忠実に再現することのできる液晶ディスプレイ３とすることができるとともに、表示可能な色の範囲が広くなり、観察者の視覚に相当する色を表示することができる。また、サブ画素として、画面表示上の色と印刷物上の色との間の相違の大きな要因となるシアン色を採用したので、このような相違を解消することができ、液晶ディスプレイ３上に印刷物相当の色をより忠実に再現することができる。
【００４２】
さらに、液晶ディスプレイ３に画像処理回路３４を備えたので、パーソナルコンピュータ２等で通常使用されるＲＧＢ信号を、画像処理回路３４で４種類のＲＢＧＣ信号に変換して、４種類の色光からなる色を液晶ディスプレイ３で表示することができる。また、ＲＧＢ信号とＲＧＢＣ信号とを対応させたＬＵＴを予め画像処理回路３４内部の記憶部に設けたので、このＬＵＴをカラープリンタ４に応じて設定することにより、カラープリンタ４によって印刷特性に相違があっても、常に印刷物特性に応じた画像を表示することのできる液晶ディスプレイ３とすることができる。さらに、画素３６を、４種類のサブ画素３６Ｒ、３６Ｇ、３６Ｂ、３６Ｃを矩形状に配列し、平面四角形状に形成したので、サブ画素３６Ｒ、３６Ｇ、３６Ｂ、３６Ｃの配列の単純化を行うことができる。
【００４３】
さらに、液晶ディスプレイ３は、サブ画素３６Ｒ、３６Ｇ、３６Ｂ、３６Ｃの配列に応じて設定され、該サブ画素３６Ｒ、３６Ｇ、３６Ｂ、３６Ｃから射出される色光の点灯制御を行う液晶素子５０を備えて構成されているので、ＣＲＴディスプレイ等と比較して、薄型、軽量、省スペースという特徴を有し、パーソナルコンピュータ２等に用いられる画像表示装置として好適である。
【００４４】
図５には、本発明の第２実施形態に係る画像表示システム７０が示されている。なお、前記第１実施形態と同一または相当構成部品には、同じ符号を付し、説明を省略もしくは簡略する。本実施形態は、前記第１実施形態のパーソナルコンピュータ２から出力された赤色（Ｒ）、緑色（Ｇ）、青色（Ｂ）からなる画像信号を、赤色（Ｒ）、緑色（Ｇ）、青色（Ｂ）、およびシアン色（Ｃ）からなる画像信号に変換する画像処理回路３４を、パーソナルコンピュータ２から出力された赤色（Ｒ）、緑色（Ｇ）、青色（Ｂ）からなる画像信号を、シアン色（Ｃ）、マゼンダ色（Ｍ）、および黄色（Ｙ）からなる画像信号に変換する画像処理回路７１としたものである。この際、画素は、印刷物の色特性に応じた発光特性を有する、シアン色の色光を射出するサブ画素と、マゼンダ色の色光を射出するサブ画素と、黄色の色光を射出するサブ画素とから構成されている。
【００４５】
画像処理回路７１は、演算処理部と記憶部とを備えて構成されている。演算処理部は、カラープリンタ４の印刷特性に応じてＲＧＢ信号をＣＭＹ信号に変換する部分である。記憶部には、所定の強度のＲＧＢ信号と、これに対応する強度のＣＭＹ信号とを対応させたＬＵＴ（Look Up Table）が設けられている。例えば、演算処理部に、緑色のみを表示させるＲＧＢ信号、例えば、Ｒ＝０、Ｇ＝１００、Ｂ＝０の強度のＲＧＢ信号が入力された場合、当該演算処理部は、このＲＧＢ信号の強度に対応する強度のＣＭＹ信号（Ｃ＝１００、Ｍ＝０、Ｙ＝１００）をＬＵＴから取得し、当該ＣＭＹ信号を出力する。これにより、画像処理領域３５に緑色が表示されるようになっている。なお、この画像処理回路７１で変換されたシアン色（Ｃ）、マゼンダ色（Ｍ）、および黄色（Ｙ）からなる画像信号は、液晶素子５０を通って画像表示領域３５に入力される。
【００４６】
このような本実施形態によれば、前記実施形態と同様の効果が得られるうえ、サブ画素が印刷物の色特性に応じた発光特性を有しているので、液晶ディスプレイ３で印刷物の色特性に応じた画面を表示することができ、印刷物相当の色を当該液晶ディスプレイ３上で再現することができる。
【００４７】
なお、本発明は前記実施の形態に限定されるものではなく、本発明の目的を達成できる他の構成等を含み、以下に示すような変形等も本発明に含まれる。
【００４８】
例えば、画像表示装置としては、電気光学素子を備えた液晶ディスプレイ３に限らず、例えば、ＣＲＴディスプレイ等の各画素から画像情報に応じて射出される色光を直視する直視型や、プロジェクタ等の投写型が採用できる。
【００４９】
また、本発明の画像表示装置としては、アクティブマトリクス方式の液晶ディスプレイに限らず、パッシブマトリクス方式の液晶ディスプレイも採用することができる。
【００５０】
さらに、前記実施形態では、液晶ディスプレイ３は、シアン色の色光を射出するサブ画素３６Ｃを備えていたが、これに限らず、例えば、マゼンダ色の色光を射出するサブ画素を備えてもよいし、黄色の色光を射出するサブ画素を備えてもよく、要するに、色度図上の赤色、緑色、青色の各点を結んで形成される三角形状の領域以外の色度図上の点として規定されるサブ画素を備えていればよい。
【００５１】
また、前記実施形態では、液晶ディスプレイ３は、画像処理回路３４、７１を備えていたが、これに限らず、例えば、パーソナルコンピュータ内部で画像信号を変換できるようになっていれば、なくてもよい。
【００５２】
さらに、前記第１実施形態では、画素は、赤色光、緑色光、青色光、およびシアン色光を射出する４種類のサブ画素３６Ｒ、３６Ｇ、３６Ｂ、３６Ｃで構成されていたが、これに限らず、例えば、赤色光、緑色光、青色光、シアン色光、およびマゼンダ色光を射出する５種類のサブ画素で構成してもよいし、赤色光、緑色光、青色光、シアン色光、マゼンダ色光、および黄色光を射出する６種類のサブ画素で構成してもよい。
【００５３】
さらに、電気光学素子としては、液晶素子に限らず、例えば、プラズマ素子、有機ＥＬ素子、ＤＭＤ（Digital Micromirror Device）等が採用できる。要するに、各画素または画素を構成するサブ画素毎に明るさを制御して画像を表示するものであればよく、実施に当たって適宜選択すればよい。
【００５４】
また、前記第２実施形態では、画像表示装置として液晶ディスプレイを用いていたが、これに限らず、例えば、三板式プロジェクタを用いてもよい。この場合、混合する色光（ＲＧＢ信号）毎に液晶パネル等の光変調装置を設け、各色光毎に光変調装置で画像情報に基づく信号（ＣＭＹ信号）に変調を施した後、プリズム等で各色光を投写面上で重畳することにより、各画素に所望の色を表示することができる。
【００５５】
以上に述べたように、本発明の画像表示装置によれば、色度図上の赤色、緑色、青色の各点を結んで形成される三角形状の領域以外の色度図上の点として規定される他の色の色光を射出するサブ画素を備えているので、赤、青、緑の各点を結んで形成される、通常の画像表示装置で表示できる色の色度図上の領域を、他の色のサブ画素が付加された分だけ拡張することができる。従って、画像表示装置に従来よりも広範な色を表示させることにより、印刷物相当の色を画像表示装置上に表示させることができる。特に、他の色の色光を射出するサブ画素をシアン、マゼンダ、黄のいずれかとすることにより、印刷物相当の色をより忠実に再現することのできる画像表示装置とすることができるという効果がある。
【図面の簡単な説明】
【００５６】
【図１】本発明の第１実施形態における色度図である。
【図２】前記実施形態における画像表示システムを示す図である。
【図３】前記実施形態における画素を示す図である。
【図４】前記実施形態における液晶素子を示す分解斜視図である。
【図５】本発明の第２実施形態における画像表示システムを示す図である。
【符号の説明】
【００５７】
３４、７１  画像処理回路
３５  画像表示領域
３６  画素
３６Ｒ、３６Ｇ、３６Ｂ、３６Ｃ  サブ画素
【図１】
2006072348.tif 000003
【図２】
2006072348.tif 000004
【図３】
2006072348.tif 000005
【図４】
2006072348.tif 000006
【図５】
2006072348.tif 000007